(57)【要約】【課題】視聴者に不快感及び故障の不安を与えること無く、低コストかつ簡易な構成で、３Ｄ眼鏡の電池残量が少ないことを視聴者に確実に通知することができる表示システムを提供する。【解決手段】右目用及び左目用の映像を表示する表示装置１と、表示装置１に表示された右目用及び左目用の映像夫々を選択的に透過させる３Ｄ眼鏡２とを備えた表示システムにおいて、３Ｄ眼鏡２に、右目用シャッタ２７及び左目用シャッタ２８を駆動するための電池の残量を検出する電池残量検出部２２と、検出された電池残量が所定量未満になった場合、電池残量が所定量未満になったことを示す警告信号を送信するＩＲ送信部２９とを備え、表示装置１に、ＩＲ送信部２９から送信された警告信号を受信するＩＲ受信部（１８）と、警告信号を受信した場合、電池残量が所定量未満である旨を表示する表示部（１５）とを備える。【選択図】図２
2011252960.tif 000002
【特許請求の範囲】
【請求項１】
右目用及び左目用の映像を表示する表示装置と、該表示装置に表示された右目用及び左目用の映像夫々を選択的に透過させる右目用シャッタ及び左目用シャッタを有する３Ｄ眼鏡とを備えた表示システムにおいて、
前記３Ｄ眼鏡は、
前記右目用シャッタ及び左目用シャッタを駆動するための電池の残量を検出する電池残量検出手段と、
該電池残量検出手段にて検出された電池残量が所定量未満になった場合、電池残量が所定量未満になったことを示す警告信号を送信する送信手段と
を備え、
前記表示装置は、
前記送信手段から送信された警告信号を受信する受信手段と、
該受信手段にて警告信号を受信した場合、電池残量が所定量未満である旨を表示する表示手段と
を備えることを特徴とする表示システム。
【請求項２】
前記送信手段は、
警告信号を複数回送信する手段を備える
ことを特徴とする請求項１に記載の表示システム。
【請求項３】
前記表示装置は、
前記受信手段が警告信号を受信した場合、所定情報を記憶する記憶手段を備え、
前記表示手段は、
前記記憶手段が所定情報を記憶している場合、電池残量が所定量未満である旨を表示するようにしてある
ことを特徴とする請求項１又は請求項２に記載の表示システム。
【請求項４】
前記送信手段は、
前記電池残量検出手段にて検出された電池残量が所定量以上になった場合、電池残量が所定量以上になったことを示す警告解除信号を送信する手段を備え、
前記受信手段は、
警告解除信号を受信する手段を備え、
前記表示手段は、
前記電池残量が所定量未満である旨を表示している場合、前記受信手段にて警告解除信号を受信したとき、電池残量が所定量未満である旨の表示を停止させる手段を備える
ことを特徴とする請求項１から請求項３までのいずれか一項に記載の表示システム。
【請求項５】
前記受信手段は、
警告信号と、前記表示装置の動作を遠隔操作するための遠隔操作信号とを受信する受信部を備える
ことを特徴とする請求項１から請求項４までのいずれか一項に記載の表示システム。
【請求項６】
前記３Ｄ眼鏡は複数であり、複数の前記３Ｄ眼鏡は、各３Ｄ眼鏡を識別するための識別情報を記憶する識別情報記憶手段を備え、
前記送信手段は、警告信号及び識別情報を送信し、前記受信手段は、該送信手段から送信された警告信号及び識別情報を受信するようにしてあり、
前記表示手段は、
前記受信手段が警告信号及び識別情報を受信した場合、該識別情報にて特定される３Ｄ眼鏡の電池残量が所定量未満である旨を表示する手段を備える
ことを特徴とする請求項１から請求項５までのいずれか一項に記載の表示システム。
【発明の詳細な説明】
【技術分野】
【０００１】
本発明は、表示装置及び３Ｄ眼鏡を備えた表示システムに関し、特に３Ｄ眼鏡の電池残量が所定量未満になった場合、警告を表示装置に表示するように構成した表示システムに関する。
【背景技術】
【０００２】
近年、液晶テレビ、プラズマテレビ、有機ＥＬテレビなどの表示装置において、３Ｄ化が急速に進んでおり、３Ｄ映像を楽しむことができる表示システムが相次いで製品化されている。該表示システムは、３Ｄ用の映像として、右目用及び左目用の映像を交互に表示することができる表示装置と、該表示装置に表示された右目用及び左目用の映像夫々を選択的に透過させる右目用シャッタ及び左目用シャッタを有する３Ｄ眼鏡とを備える。３Ｄ眼鏡は、右目用シャッタ及び左目用シャッタを駆動するための電池を搭載している。３Ｄ眼鏡の電池が切れた場合、正常な３Ｄ映像を視聴することができなくなり、視聴者は、表示装置の故障と誤解するおそれもある。そこで、発光ダイオード（ＬＥＤ：Light Emitting Diode）を３Ｄ眼鏡のテンプル部分に設け、電池残量が少なくなった場合、３Ｄ眼鏡の電源オン時にＬＥＤを５回点滅させて、電池残量が少ないことを視聴者に知らせるように構成した表示システムが実用化されている。
【０００３】
一方、特許文献１には、電気的に焦点距離を可変可能な可変焦点レンズを備え、更に本体の電池残量が少なくなっていることを表示するＬＥＤを可変焦点レンズに設けた電子眼鏡が開示されている（例えば、特許文献１）。
【０００４】
また、特許文献２には、本体の電池残量が少なくなった場合、右目用及び左目用液晶シャッタの開閉スピードを遅くすることによって、電池残量の低下を知らせるように構成した液晶シャッタ眼鏡が開示されている（例えば、特許文献２）。
【先行技術文献】
【特許文献】
【０００５】
【特許文献１】特開２００９−１８０８６３号公報
【特許文献２】特開平９−９０２９２号公報
【発明の概要】
【発明が解決しようとする課題】
【０００６】
しかしながら、電源オン時にＬＥＤを５回点滅させる従来の表示システムにおいては、電源ＯＮ時にＬＥＤの点滅を見逃す可能性が高いという問題があった。つまり、視聴者は、３Ｄ映像を視聴するために３Ｄ眼鏡の電源スイッチを操作するが、３Ｄ眼鏡の扱いに慣れた視聴者の意識は、すぐさま３Ｄ映像、あるいは３Ｄ眼鏡の装着に移行するのが通常であり、ＬＥＤの点滅に気が付かない虞がある。
また、３Ｄ映像の視聴中に電池残量が少なくなってきた場合、３Ｄ眼鏡を装着している視聴者は、電池残量が少なくなっていることをリアルタイムで確認できないという問題があった。電池残量が少なくなったことに気が付かない視聴者は、除々に暗くなった映像の視聴を余儀なくされる。
【０００７】
一方、特許文献１に係る電子眼鏡においては、可変焦点レンズにＬＥＤを備える必要があり、特殊な可変焦点レンズ及びシステムの作成にコストが掛かるという問題がある。
また、特許文献１に係る電子眼鏡を３Ｄ眼鏡として利用する場合、３Ｄ映像の視聴中に警告表示を視聴者に認識させるためには、右目及び左目の対応する箇所を同期点灯させるように構成する必要があり、システム及びソフト処理が別途必要になるという問題がある。なお、単純なＬＥＤの発光のみで視聴者に電池残量が少なくなっていることを知らせることも可能ではあるが、ＬＥＤを強く発光させる必要があり、視聴者は３Ｄ映像の視聴を続けることができなくなるという問題がある。
更に、特許文献２に係る液晶シャッタ眼鏡においては、液晶シャッタの開閉スピードが遅くなると、３Ｄ映像の視聴者は不快感を覚え、映像を楽しむことが出来なくなるばかりか、故障の不安を与える虞がある。また、実際に３Ｄ眼鏡が故障しているのか否かの判断を困難にする虞がある。
【０００８】
本発明は斯かる事情に鑑みてなされたものであり、視聴者に不快感及び故障の不安を与えること無く、低コストかつ簡易な構成で、３Ｄ眼鏡の電池残量が少ないことを視聴者に確実に通知することができる表示システムを提供することを目的とする。
【課題を解決するための手段】
【０００９】
本発明に係る表示システムは、右目用及び左目用の映像を表示する表示装置と、該表示装置に表示された右目用及び左目用の映像夫々を選択的に透過させる右目用シャッタ及び左目用シャッタを有する３Ｄ眼鏡とを備えた表示システムにおいて、前記３Ｄ眼鏡は、前記右目用シャッタ及び左目用シャッタを駆動するための電池の残量を検出する電池残量検出手段と、該電池残量検出手段にて検出された電池残量が所定量未満になった場合、電池残量が所定量未満になったことを示す警告信号を送信する送信手段とを備え、前記表示装置は、前記送信手段から送信された警告信号を受信する受信手段と、該受信手段にて警告信号を受信した場合、電池残量が所定量未満である旨を表示する表示手段とを備えることを特徴とする。
【００１０】
本発明にあっては、３Ｄ眼鏡の電池残量検出手段が３Ｄ眼鏡の電池残量を検出する。そして、電池残量が所定量未満である場合、送信手段が警告信号を表示装置へ送信し、表示装置は、受信手段にて３Ｄ眼鏡から送信された警告信号を受信する。該警告信号を受信した場合、表示装置は電池残量が所定量未満である旨を表示する。
電池残量が所定量未満である旨を表示装置が表示する構成であるため、電池残量が少なくなっていることを視聴者に確実に通知することが可能である。また、特殊な右目用シャッタ及び左目用シャッタ及びＬＥＤ点灯制御システムを備える必要は無く、低コスト及び簡易に構成することが可能である。更に、右目用シャッタ及び左目用シャッタの開閉スピードを変化させること無く、警告を表示する構成であるため、視聴者に不快感及び故障の不安を与えることは無い。
なお、警告の表示態様は特に限定されるものでは無く、少なくとも電池残量が少なくなっていることを視聴者が認識できれば足りる。
【００１１】
本発明に係る表示システムは、前記送信手段は、警告信号を複数回送信する手段を備えることを特徴とする。
【００１２】
本発明にあっては、送信手段は、警告信号を複数回送信し、表示手段は、複数回送信された警告信号のいずれか一つを受信手段が受信した場合、電池残量が所定量未満である旨を表示する。
従って、一時的に視聴者が表示装置側を向いておらず、３Ｄ眼鏡から送信された警告信号を表示装置の受信手段が受信し損なった場合であっても、３Ｄ眼鏡の送信手段は、追って警告信号を送信するため、視聴者が表示装置側を向いたときに送信された警告信号を表示装置は受信することができる。
また、送信手段は、警告信号を無制限に送信しないため、電池の消費を必要最小限に抑えることが可能である。
【００１３】
本発明に係る表示システムは、前記表示装置は、前記受信手段が警告信号を受信した場合、所定情報を記憶する記憶手段を備え、前記表示手段は、前記記憶手段が所定情報を記憶している場合、電池残量が所定量未満である旨を表示するようにしてあることを特徴とする。
【００１４】
本発明にあっては、表示手段の受信手段が警告信号を受信した場合、所定情報を記憶手段が記憶し、表示手段は、記憶手段が所定情報を記憶している場合、電池残量が所定量未満である旨を表示する。
従って、３Ｄ眼鏡から警告信号が送信されたときのみならず、継続的に警告を表示することが可能である。
【００１５】
本発明に係る表示システムは、前記送信手段は、前記電池残量検出手段にて検出された電池残量が所定量以上になった場合、電池残量が所定量以上になったことを示す警告解除信号を送信する手段を備え、前記受信手段は、警告解除信号を受信する手段を備え、前記表示手段は、前記電池残量が所定量未満である旨を表示している場合、前記受信手段にて警告解除信号を受信したとき、電池残量が所定量未満である旨の表示を停止させる手段を備えることを特徴とする。
【００１６】
本発明にあっては、電池残量が所定量以上である場合、送信手段が警告解除信号を表示装置へ送信し、表示装置は、受信手段にて３Ｄ眼鏡から送信された警告解除信号を受信する。表示装置は電池残量が所定量未満である旨を表示している場合、該警告解除信号を受信したとき、電池残量が所定量未満である旨の表示を停止する。
【００１７】
本発明に係る表示システムは、前記受信手段は、警告信号と、前記表示装置の動作を遠隔操作するための遠隔操作信号とを受信する受信部を備えることを特徴とする。
【００１８】
本発明にあっては、受信手段を構成する単一の受信部が、遠隔操作信号及び警告信号を受信する。つまり、単一の受信部を、遠隔操作信号受信用と、警告信号受信用とに兼用することが可能である。
【００１９】
本発明に係る表示システムは、前記３Ｄ眼鏡は複数であり、複数の前記３Ｄ眼鏡は、各３Ｄ眼鏡を識別するための識別情報を記憶する識別情報記憶手段を備え、前記送信手段は、警告信号及び識別情報を送信し、前記受信手段は、該送信手段から送信された警告信号及び識別情報を受信するようにしてあり、前記表示手段は、前記受信手段が警告信号及び識別情報を受信した場合、該識別情報にて特定される３Ｄ眼鏡の電池残量が所定量未満である旨を表示する手段を備えることを特徴とする。
【００２０】
本発明にあっては、複数の３Ｄ眼鏡が使用されている場合に、一の３Ｄ眼鏡の電池残量が所定量未満になった場合、表示手段は、該３Ｄ眼鏡の電池残量が所定量未満である旨を表示する。
従って、複数の３Ｄ眼鏡の内、いずれの３Ｄ眼鏡の電池残量が少なくなっているのかを容易に特定することが可能である。
【発明の効果】
【００２１】
本発明によれば、視聴者に不快感及び故障の不安を与えること無く、低コストかつ簡易な構成で、３Ｄ眼鏡の電池残量が少ないことを視聴者に確実に通知することができる。
【図面の簡単な説明】
【００２２】
【図１】本実施の形態に係る表示システムの一構成例を示した模式図である。
【図２】３Ｄ眼鏡の一構成例を示したブロック図である。
【図３】表示装置の一構成例を示したブロック図である。
【図４】電池残量検出に係る処理手順を示したフローチャートである。
【図５】警告表示に係る処理手順を示したフローチャートである。
【図６】サイド・バイ・サイド方式の３Ｄ映像における警告表示例を示した模式図である。
【図７】変形例１における電池残量検出に係る処理手順を示したフローチャートである。
【図８】変形例１における警告表示に係る処理手順を示したフローチャートである。
【図９】変形例２に係る３Ｄ眼鏡の一構成例を示したブロック図である。
【図１０】変形例２に係る表示装置の一構成例を示したブロック図である。
【図１１】３Ｄ眼鏡のペアリングに係る処理手順を示すフローチャートである。
【図１２】識別情報テーブルの内容を概念的に示した説明図である。
【図１３】変形例２における電池残量検出に係る処理手順を示したフローチャートである。
【図１４】変形例２における警告表示に係る処理手順を示したフローチャートである。
【発明を実施するための形態】
【００２３】
以下、本発明をその実施の形態を示す図面に基づいて詳述する。
図１は、本実施の形態に係る表示システムの一構成例を示した模式図、図２は、３Ｄ眼鏡の一構成例を示したブロック図、図３は、表示装置の一構成例を示したブロック図である。本発明の実施の形態に係る表示システムは、右目用及び左目用の映像を表示する表示装置１と、表示装置１に表示された右目用及び左目用の映像夫々を選択的に透過させる右目用シャッタ２７及び左目用シャッタ２８を有する３Ｄ眼鏡２とを備える。
【００２４】
３Ｄ眼鏡２は、図２に示すように、３Ｄ眼鏡制御部２０、３Ｄ眼鏡２の各構成部を駆動させるための電池２１、電池２１の残量を検出する電池残量検出部２２、タイマ２３、発振回路２４、同期信号受信部２５、シャッタ駆動部２６、右目用シャッタ２７、左目用シャッタ２８、及びＩＲ送信部２９を備える。
【００２５】
電池２１は、例えばリチウム電池、アルカリマンガン電池などのボタン型一次電池、又はリチウムイオン電池などの二次電池であり、３Ｄ眼鏡制御部２０及びシャッタ駆動部２６に給電を行う。また、電池２１は、電池残量検出部２２に接続されている。
【００２６】
電池残量検出部２２は、例えば、電池２１の残量を検出する専用のＩＣであり、電池２１の残量に応じた信号レベルの制御信号を３Ｄ眼鏡制御部２０へ出力している。具体的には、電池残量検出部２２は、電池２１の残量が所定量以上である場合、ローレベルの制御信号を３Ｄ眼鏡制御部２０へ出力し、電池２１の残量が所定量未満である場合、ハイレベルの制御信号を３Ｄ眼鏡制御部２０へ出力する。専用のＩＣとしては、例えば、携帯電話機の電池２１の残量を検出するＩＣが挙げられる。電池残量が所定量以上にある通常使用時にて、ローレベルの制御信号を出力するように構成することによって、無駄なエネルギー消費を抑えることができる。
なお、最も簡単な電池残量検出部２２は、所定の閾値に対応する電圧を出力する回路と、閾値の電圧及び電池２１の電圧を比較し、電池２１の電圧に応じて上述と同様のハイレベル又はローレベルの制御信号を出力するシュミットトリガ回路とで構成される。
【００２７】
タイマ２３は、電池２１の残量が少なくなった旨を示した警告信号を送信するタイミングを計るための素子であり、３Ｄ眼鏡制御部２０の制御に従って時間を計時し、指定された所定時間を計時した場合、特定の信号を３Ｄ眼鏡制御部２０へ出力する。
【００２８】
発振回路２４は、３Ｄ眼鏡制御部２０を動作させると共に、右目用シャッタ２７及び左目用シャッタ２８を開閉させる基準となるクロックを生成し、生成したクロックを３Ｄ眼鏡制御部２０へ出力する回路である。
【００２９】
同期信号受信部２５は、例えば、フォトダイオードを備え、表示部１５に表示される右目用の映像と、左目の映像とに同期して、右目用シャッタ２７及び左目用シャッタ２８を開閉させるべく、表示装置１から送信された同期信号を受信し、受信した同期信号を３Ｄ眼鏡制御部２０へ与える。
【００３０】
３Ｄ眼鏡制御部２０は、同期信号受信部２５から出力された同期信号に同期させて、右目用シャッタ２７及び左目用シャッタ２８を交互に開閉させるシャッタ制御信号夫々をシャッタ駆動部２６に与える。右目用のシャッタ制御信号は、例えば、周波数が１２０Ｈｚ、デューティ比５０％の矩形波信号であり、左目用シャッタ２８のシャッタ制御信号は、右目用のシャッタ制御信号の位相を反転、つまり、位相を１８０度ずらした信号である。
また、３Ｄ眼鏡制御部２０は、電池残量検出部２２から出力された制御信号の信号レベルがローレベルからハイレベルに変化した場合、電池２１の残量が所定量未満である旨を警告するための警告信号をＩＲ送信部２９に与える。
【００３１】
シャッタ駆動部２６は、３Ｄ眼鏡制御部２０から与えられたシャッタ制御信号に基づいて、右目用シャッタ２７及び左目用シャッタ２８に駆動電圧を与える。
【００３２】
右目用シャッタ２７及び左目用シャッタ２８は、例えば液晶シャッタであり、シャッタ駆動部２６から与えられた駆動電圧に応じて、交互に開閉する。具体的には、表示部１５に右目用の映像が表示されている場合、左目用シャッタ２８が閉鎖し、右目用シャッタ２７のみが開いて、右目用の映像を透過させる。同様に、表示部１５に左目用の映像が表示されている場合、右目用シャッタ２７が閉鎖し、左目用シャッタ２８が開いて、左目用の映像を透過させる。このようにして、視聴者の右目には、右目用の映像が、左目には左目の映像が映り、その結果、３Ｄの映像を楽しむことが可能になる。
【００３３】
ＩＲ送信部２９は、３Ｄ眼鏡２の鼻パッド上部の略中央部に設けられており、例えば、ＩＲ信号を送信する赤外線発光ダイオードであり、３Ｄ眼鏡制御部２０から出力された警告信号をＩＲ信号として送信する。なお、ＩＲ送信部２９を設ける箇所は、特に鼻パッド上部に限定されず、３Ｄ眼鏡２の正面部分、つまり、ＩＲ信号を表示装置１へ送信することができる位置であれば、他の箇所に設けても良い。
【００３４】
表示装置１は、図３に示すように、表示制御部１０、映像入力部１１、チューナ部１２、ＡＶスイッチ１３、信号処理部１４、表示部１５、スピーカ１６、同期信号送信部１７、ＩＲ受信部１８、記憶部１９を備える。
【００３５】
映像入力部１１は、図示しない各種外部機器から出力された３Ｄの映像信号及び音声信号が入力される入力インタフェースであり、入力された映像信号及び音声信号をＡＶスイッチ１３へ与える。外部機器は、例えば、衛星放送チューナ、ケーブルテレビチューナ、ＩＰ放送チューナなどのチューナ、ＢＤレコーダ、ＨＤＤレコーダなどの映像再生装置などで構成されている。３Ｄの映像信号は、例えば、サイド・バイ・サイド（side by side）方式で伝送される。サイド・バイ・サイド方式とは、右目用映像の１フレームと、左目用映像の１フレームとを夫々水平方向に１／２（２分の１）に圧縮し、各フレームを横に並べて１枚のフレームとして送信する伝送方式を言う。右目用映像及び左目用映像を並べた１枚のフレームは、２Ｄ映像と同様の方式で伝送することができるため、既存のインフラを利用することができる。なお、その他の伝送方式、例えば右目用映像の１フレームと、左目用映像の１フレームとを各別に送信する伝送方式で受信した３Ｄ映像についても本発明を適用することができることは言うまでも無い。
【００３６】
チューナ部１２は、アンテナＡで受信した放送信号を増幅して特定チャンネルの信号を選択する。該信号は、ＯＦＤＭ（Orthogonal Frequency Division Multiplexing）方式で変調されている。チューナ部１２は、図示しない復調部を備えており、選択された特定チャンネルの信号を、ＭＰＥＧ２ＴＳ（Transport Stream）形式のストリームデータに復調し、復調したストリームデータをＡＶスイッチ１３に与える。ＴＳ形式のストリームデータは、複数のパケットから構成されている。パケットは、番組を構成する３Ｄの映像信号及び音声信号などをパケット化したものであり、複数のパケットから、時系列順の映像信号及び音声信号が復元される。
【００３７】
ＡＶスイッチ１３は、後述の表示制御部１０の制御に従って、映像入力部１１から与えられた映像信号及び音声信号、又はチューナ部１２から与えられたストリームデータのいずれかを選択し、選択された映像信号及び音声信号又はストリームデータを信号処理部１４へ出力する。
【００３８】
信号処理部１４は、映像入力部１１から出力された映像信号及び音声信号が与えられた場合、サイド・バイ・サイド方式の１フレーム映像中、右半分の映像を水平方向に伸張させた右目用映像と、左半分の映像を水平方向に伸張させて左目用映像を生成し、右目用映像及び左目用映像をフレームシーケンシャル方式で表示部１５に表示させる。また、音声信号をスピーカ１６に与えることによって、音声を外部出力する。
また、信号処理部１４は、ストリームデータが与えられた場合、該ストリームデータを映像及び音声のデータに分離し、ＭＰＥＧ２の圧縮伸張方式に従って復調することによって、元の映像信号及び音声信号を生成する。そして、信号処理部１４は、生成された映像信号に対して、上述と同様の処理で、右目用映像及び左目用映像をフレームシーケンシャル方式で表示部１５に表示させる。
更に、信号処理部１４は、右目用及び左目用の映像が表示されるタイミングを示し、３Ｄ眼鏡２のシャッタ開閉を同期させるための同期信号を、同期信号送信部１７に与える。
【００３９】
表示部１５は、例えば、液晶パネル、プラズマディスプレイパネル、有機ＥＬパネルなどで構成されており、信号処理部１４から与えられた映像信号に基づいて、映像を表示する。
【００４０】
同期信号送信部１７は、いわゆるＩＲエミッタ回路であり、信号処理部１４から与えられた同期信号を無線にて３Ｄ眼鏡２へ送信する。なお、同期信号送信部１７は、図１に示すように矩形枠状の前キャビネットの中央下部に設けてあるが、特にこれに限定されるものでは無い。
【００４１】
ＩＲ受信部１８は、表示制御部１０に接続されており、前キャビネットの右下部に設けられている。ＩＲ受信部１８は、リモコン３から送信された遠隔操作信号と、３Ｄ眼鏡２から送信された警告信号とを受信し、受信した遠隔操作信号及び警告信号を表示制御部１０に与えるように構成されている。
なお、単一のＩＲ受信部１８にて、遠隔操作信号及び警告信号を受信する例を説明したが、該ＩＲ受信部１８で遠隔操作信号を受信し、他のＩＲ受信部をＩＲエミッタ回路基板に設け、該ＩＲ受信部にて警告信号を受信するように構成しても良い。また、ＩＲ受信部１８の配置は一例であり、前キャビネットの右下部以外の場所に配しても良い。
更に、ＩＲ送信部２９を、同期信号を送信すると共に、警告信号を受信するＩＲ送受信部として構成しても良い。
【００４２】
表示制御部１０は、ＣＰＵ、ＲＯＭ、ＲＡＭなどを備えたマイクロコンピュータからなり、表示装置１の各構成部に制御信号を与えて該構成部の動作を制御する。また、表示制御部１０には、リモコン３から送信された赤外線の遠隔操作信号を受信するＩＲ受信部１８が設けられており、表示制御部１０は、ＩＲ受信部１８にて受信した遠隔操作信号に応じた各種制御信号を各構成部に与えて、動作を制御する。また、表示制御部１０は、３Ｄ眼鏡２から送信された警告信号を受信した場合、３Ｄ眼鏡２の電池２１の残量が無いことを示す警告文字を映像に重畳させる処理を行う。詳細は後述する。
【００４３】
記憶部１９は、例えばフラッシュメモリなどの不揮発性メモリであり、３Ｄ眼鏡２の残量が少ないことを示す所定情報を記憶するための素子である。なお、記憶部１９は、必ずしも不揮発性である必要は無く、揮発性のメモリであっても良い。
【００４４】
図４は、電池残量検出に係る処理手順を示したフローチャートである。電池残量検出部２２は、電池２１の残量を検出し（ステップＳ１１）、電池２１の残量が所定量未満であるか否かを判定する（ステップＳ１２）。電池２１の残量が所定量未満である場合（ステップＳ１２：ＹＥＳ）、電池残量検出部２２は、３Ｄ眼鏡制御部２０へ出力している制御信号のレベルをローレベル（Ｌレベル）から、ハイレベル（Ｈレベル）に変更する（ステップＳ１３）。なお、詳細には、電池残量検出部２２は、すでにハイレベルの制御信号を出力している場合、継続的にハイレベルの制御信号を出力し、制御信号の信号レベルは、電池２１の残量が所定量以上の状態から所定量未満の状態に変化したときに変更される。制御信号のレベルがローレベルからハイレベルに変化した場合、３Ｄ眼鏡制御部２０は、一定の時間間隔を空けて、電池２１の残量が所定量未満になったことを示す所定の警告信号を複数回、ＩＲ送信部２９に送信させ（ステップＳ１４）、処理を終える。例えば、眼鏡制御部２０は、３〜５秒の間隔で、３〜５回の警告信号を送信させる。
【００４５】
電池２１の残量が所定量以上である場合（ステップＳ１２：ＮＯ）、電池残量検出部２２は、ローレベルの制御信号を３Ｄ眼鏡制御部２０へ出力しており、３Ｄ眼鏡制御部２０は、同期信号受信部２５にて受信した同期信号に同期させて、右目用シャッタ２７及び左目用シャッタ２８を交互に開閉させる処理を実行し（ステップＳ１５）、電池残量検出に係る処理を終える。
【００４６】
図５は、警告表示に係る処理手順を示したフローチャートである。表示制御部１０は、３Ｄ眼鏡２又はリモコン３から送信されたＩＲ信号をＩＲ受信部１８にて受信する（ステップＳ３１）。そして、表示制御部１０は、警告信号を受信したか否かを判定する（ステップＳ３２）。つまり、表示制御部１０は、ステップＳ３１で受信したＩＲ信号が警告信号であるか否かを判定する。
【００４７】
警告信号を受信したと判定した場合（ステップＳ３２：ＹＥＳ）、表示制御部１０は、電池２１の残量が所定量未満である旨の警告表示を行うか否かを判定するための所定情報を記憶部１９に記憶させ、記憶部１９が該所定情報を記憶している間、電池２１の残量が所定量未満である旨を表示部１５に表示し（ステップＳ３３）、処理を終える。
【００４８】
図６は、サイド・バイ・サイド方式の３Ｄ映像における警告表示例を示した模式図である。表示制御部１０は、図６に示すように、サイド・バイ・サイド方式の右目用及び左目用の映像夫々に予め表示制御部１０又は記憶部１９が記憶している「電池残量が少ないです。」の警告文字を重畳させることによって、警告表示を行う。信号処理部１４は、図６に示した１フレーム映像中、右半分の映像を水平方向に伸張させた右目用映像と、左半分の映像を水平方向に伸張させて左目用映像を生成し、右目用映像及び左目用映像をフレームシーケンシャル方式で表示部１５に表示させる。３Ｄ眼鏡２は、表示部１５に右目用映像が表示されている場合、右目用シャッタ２７を開き、左目用シャッタ２８を閉鎖し、表示部１５に左目用映像が表示されている場合、右目用シャッタ２７を閉鎖し、左目用シャッタ２８を開く。上記処理によって、３Ｄ眼鏡２を装着した視聴者は、３Ｄ映像に表示された警告文字「電池残量が少ないです。」を視認することができる。なお、水平方向に伸張された後の右目用及び左目用の映像夫々に警告文字又は携帯電話の電池切れのような警告マークを重畳させるように構成しても良い。
一方、表示部１５に２Ｄ映像が表示されている場合、「電池残量が少ないです。」の警告文字を一つ重畳させることによって、警告表示を行う。つまり、表示制御部１０は、３Ｄ映像を表示しているか、２Ｄ映像を表示しているかを判定し、３Ｄ映像を表示していると判定した場合、映像の右側及び左側の夫々に警告文字を重畳させ、２Ｄ映像を表示していると判定した場合、映像の所定箇所に警告文字を重畳させる処理を行うように構成されている。
【００４９】
図５に戻って、警告信号を受信していないと判定した場合（ステップＳ３２：ＮＯ）、表示制御部１０は、リモコン３から送信された警告非表示信号をＩＲ受信部１８にて受信したか否かを判定する（ステップＳ３４）。具体的には、視聴者は、リモコン３を操作することによって、電池２１の残量が少ない旨の警告文字を非表示にする操作を行うことができ、該操作を受け付けたリモコン３は、警告非表示信号を送信する。そして、表示制御部１０は、リモコン３から送信された該警告非表示信号を受信する。
【００５０】
警告非表示信号を受信したと判定した場合（ステップＳ３４：ＹＥＳ）、表示制御部１０は、記憶部１９が記憶している所定情報を消去することによって、警告を停止させ（ステップＳ３５）、警告表示に係る処理を終える。警告非表示信号を受信していないと判定した場合（ステップＳ３４：ＮＯ）、表示制御部１０は、ステップＳ３１で受信したＩＲ信号に応じた特定の処理、例えばチャンネル変更、ボリューム調整などの処理を実行し（ステップＳ３６）、警告表示に係る処理を終える。
【００５１】
このように構成された本実施の形態に係る表示システムによれば、視聴者に不快感及び故障の不安を与えること無く、低コストかつ簡易な構成で、電池２１の残量が少なくなっていることを視聴者に確実に通知することができる。
より具体的には、視聴者に不快感又は故障の不安を与えるような映像の変更を行うこと無く、視聴者にリアルタイムで電池２１の残量が少なくなったことを知らせることができる。
また、３Ｄ眼鏡２の電池残量不足を知らせるために、特別なレンズ又はシャッター制御処理装置を設けること無く、既存の表示システムに対して、電池残量検出部２２と、ＩＲ送信部２９とを設けるのみで、本実施の形態に係る表示システムを構成することができる。言い換えると、本実施の形態に係る表示システムを、低コストで構成することができる。
更に、３Ｄ眼鏡２のシャッタ部分でＬＥＤランプを点灯させる構成では無いため、３Ｄ眼鏡２の残量が少なくなってきた場合においても、２Ｄ映像及び３Ｄ映像を問わず、視聴者は、映像を楽しむことができる。
【００５２】
また、本実施の形態に係る表示システムによれば、一定の時間間隔を空けて複数回警告信号を送信するように構成してあるため、一時的に視聴者がよそ見をしていた場合であっても、警告信号を表示装置１へ送信し、警告文字を表示部１５に表示させることができる。
また、警告信号を常時送信する構成では無いため、電池２１の消費を必要最小限に抑えることができる。
【００５３】
更に、表示装置１が警告信号を受信した場合、所定情報を記憶部１９に記憶させ、記憶部１９が所定情報を記憶している間、警告文字を表示するように構成してあるため、３Ｄ眼鏡２から警告信号が送信されたときのみならず、継続的に警告文字を表示することができ、確実に３Ｄ眼鏡２の電池２１の残量が少なくなっていることを視聴者に知らせることができる。
【００５４】
更にまた、一つのＩＲ受信部１８を遠隔操作信号受信用と、警告信号受信用とに兼用しているため、より、低コストで本実施の形態に係る表示システムを構成することができる。
【００５５】
（変形例１）
変形例１に係る表示システムは、電池２１の残量が回復した場合、自動的に警告表示を停止するように構成したものである。表示システムの構成は、実施の形態と同様であり、処理手順のみが異なるため、以下では主に処理手順について説明する。
【００５６】
図７は、変形例１における電池残量検出に係る処理手順を示したフローチャートである。電池残量検出部２２及び３Ｄ眼鏡制御部２０は、実施の形態と同様、電池残量検出及び判定、警告信号の送信、並びにシャッタ制御に係る処理をステップＳ１１１〜ステップＳ１１５にて実行する。電池２１の残量が所定量以上であると判定し（ステップＳ１１２：ＮＯ）、ステップＳ１１５でシャッタ制御を行った後、電池残量検出部２２は、３Ｄ眼鏡制御部２０へ出力している制御信号のレベルをハイレベルから、ローレベルに変更する（ステップＳ１１６）。なお、詳細には、電池残量検出部２２は、すでにローレベルの制御信号を出力している場合、継続的にローレベルの制御信号を出力し、制御信号の信号レベルは、電池２１の残量が所定量以上の状態から所定量未満の状態に変化したときに変更される。制御信号のレベルがハイレベルからローレベルに変化した場合、３Ｄ眼鏡制御部２０は、一定の時間間隔を空けて、電池２１の残量が所定量以上になったことを示す所定の警告解除信号を複数回、ＩＲ送信部２９に送信させ（ステップＳ１１７）、処理を終える。
【００５７】
図８は、変形例１における警告表示に係る処理手順を示したフローチャートである。表示制御部１０は、実施の形態と同様、３Ｄ眼鏡２又はリモコン３から送信されたＩＲ信号をＩＲ受信部１８にて受信する（ステップＳ１３１）。そして、表示制御部１０は、警告信号を受信したか否かを判定する（ステップＳ１３２）。警告信号を受信したと判定した場合（ステップＳ１３２：ＹＥＳ）、表示制御部１０は、電池２１の残量が所定量未満である旨の警告表示を行うか否かを判定するための所定情報を記憶部１９に記憶させ、記憶部１９が該所定情報を記憶している間、電池２１の残量が所定量未満である旨を表示部１５に表示し（ステップＳ１３３）、処理を終える。
【００５８】
警告信号を受信していないと判定した場合（ステップＳ１３２：ＮＯ）、表示制御部１０は、３Ｄ眼鏡２から送信された警告解除信号をＩＲ受信部１８にて受信したか否かを判定する（ステップＳ１３４）。
【００５９】
警告解除信号を受信したと判定した場合（ステップＳ１３４：ＹＥＳ）、表示制御部１０は、記憶部１９が記憶している所定情報を消去することによって、警告を停止させ（ステップＳ１３５）、警告表示に係る処理を終える。警告解除信号を受信していないと判定した場合（ステップＳ１３４：ＮＯ）、表示制御部１０は、ステップＳ１３１で受信したＩＲ信号に応じた特定の処理を実行し（ステップＳ１３６）、警告表示に係る処理を終える。
【００６０】
このように構成された変形例１に係る表示システムによれば、３Ｄ眼鏡２の電池２１の残量が回復した場合、表示部１５に表示されていた警告文字を自動的に消去することができる。
【００６１】
（変形例２）
変形例２に係る表示システムは、複数の３Ｄ眼鏡２０２を使用する場合において、電池２１の残量が少なくなっている旨を個別に警告表示するように構成したものである。
【００６２】
図９は、変形例２に係る３Ｄ眼鏡２０２の一構成例を示したブロック図である。変形例２に係る３Ｄ眼鏡２０２は、実施の形態で説明した構成に加え、更に識別情報記憶部２３０、３Ｄ眼鏡識別ランプ２３１及び有線接続端子２２０ａを備える。
【００６３】
識別情報記憶部２３０は、３Ｄ眼鏡２０２を識別するための識別情報を記憶する不揮発性メモリである。
【００６４】
３Ｄ眼鏡識別ランプ２３１は、識別情報記憶部２３０が記憶している識別情報に応じた異なる態様で発光する。３Ｄ眼鏡識別ランプ２３１は、例えば、並置された複数の発光部を備え、識別情報に応じて異なる発光部が発光するように構成されている。なお、上述の構成は一例であり、３Ｄ眼鏡２０２を識別可能な構成であれば、特に限定されない。例えば、識別情報に応じた異なる色で発光する発光部を備えても良い。
【００６５】
有線接続端子２２０ａは、例えば、ＵＳＢ端子である。なお、言うまでもなく、ＵＳＢ端子は一例である。
【００６６】
図１０は、変形例２に係る表示装置２０１の一構成例を示したブロック図である。変形例２に係る表示装置２０１は、実施の形態で説明した構成に加え、更に、有線接続端子２１０ａを備える。また、記憶部２１９は、複数の３Ｄ眼鏡２０２夫々の識別情報、各３Ｄ眼鏡２０２の電池２１の残量の有無などを登録した後述の識別情報テーブル２１９ａを記憶する。
【００６７】
図１１は、３Ｄ眼鏡２０２のペアリングに係る処理手順を示すフローチャートである。以下では、ＵＳＢケーブルなどの有線ケーブルにて表示装置２０１及び３Ｄ眼鏡２０２を接続して行うペアリング処理を説明する。
まず、表示制御部１０は、記憶部２１９が記憶している識別情報テーブル２１９ａを読み出し、未登録の識別情報を特定する（ステップＳ２０１）。
【００６８】
図１２は、識別情報テーブル２１９ａの内容を概念的に示した説明図である。識別情報テーブル２１９ａは、例えば「識別情報」フィールド、「名称」フィールド、「電池残量」フィールドで構成されている。「識別情報」フィールドは、複数の３Ｄ眼鏡２０２を識別するための識別情報、例えば、「００１」、「００２」、「００３」などの番号を格納する。「名称」フィールドは、各３Ｄ眼鏡２０２に付与された名称を格納する。電池２１の残量が少なくなった場合、該名称を用いて、特定の３Ｄ眼鏡２０２の電池２１の残量が少なくなった旨の警告表示を行う。３Ｄ眼鏡２０２の名称は、表示制御部１０が自動的に作成しても良いし、視聴者によって入力可能に構成しても良い。なお、「名称」フィールドを設けず、識別情報に登録された番号によって、特定の３Ｄ眼鏡２０２の電池２１の残量が少なくなった旨を警告するように構成しても良い。「電池残量」フィールドは、各３Ｄ眼鏡２０２の電池２１の残量が所定量未満であるか否かを示した情報を格納している。図１２中、「無し」で示された情報は、実施の形態で説明した所定情報に対応している。
【００６９】
ステップＳ２０１で、表示制御部１０は、識別情報テーブル２１９ａの「識別情報」フィールドに格納されている識別情報を確認し、未だ格納されていない識別情報、例えば番号を特定する。
【００７０】
ステップＳ２０１の処理を終えた制御部は、特定した未登録の識別情報を有線接続端子２１０ａを介して、３Ｄ眼鏡２０２へ送信する（ステップＳ２０２）。
【００７１】
３Ｄ眼鏡２０２は、表示装置２０１から送信された有線接続端子２２０ａを介して受信し（ステップＳ２０３）、受信した識別情報を識別情報記憶部２３０に記憶させる（ステップＳ２０４）。
【００７２】
識別情報の特定及び送信を終えた表示制御部１０は、ステップＳ２０１で特定した識別情報に対応する３Ｄ眼鏡２０２の名称を自動生成し、識別情報テーブル２１９ａに、識別情報と、自動生成された３Ｄ眼鏡２０２の名称と、電池２１の残量が所定量以上である旨の情報を初期登録し（ステップＳ２０５）、処理を終える。
【００７３】
図１３は、変形例２における電池残量検出に係る処理手順を示したフローチャートである。電池残量検出部２２は、電池２１の残量を検出し（ステップＳ２１１）、電池２１の残量が所定量未満であるか否かを判定する（ステップＳ２１２）。電池２１の残量が所定量未満である場合（ステップＳ２１２：ＹＥＳ）、電池残量検出部２２は、３Ｄ眼鏡制御部２０へ出力している制御信号のレベルをローレベルから、ハイレベルに変更する（ステップＳ２１３）。制御信号のレベルがローレベルからハイレベルに変化した場合、３Ｄ眼鏡制御部２０は、識別情報記憶部２３０から識別情報を読み出し、一定の時間間隔を空けて、電池２１の残量が所定量未満になったことを示す所定の警告信号及び読み出された識別情報を複数回、ＩＲ送信部２９に送信させ（ステップＳ２１４）、処理を終える。
【００７４】
電池２１の残量が所定量以上である場合（ステップＳ２１２：ＮＯ）、電池残量検出部２２は、ローレベルの制御信号を３Ｄ眼鏡制御部２０へ出力しており、３Ｄ眼鏡制御部２０は、同期信号受信部２５にて受信した同期信号に同期させて、右目用シャッタ２７及び左目用シャッタ２８を交互に開閉させる処理を実行し（ステップＳ２１５）、電池残量検出に係る処理を終える。
【００７５】
図１４は、変形例２における警告表示に係る処理手順を示したフローチャートである。表示制御部１０は、３Ｄ眼鏡２０２又はリモコン３から送信されたＩＲ信号をＩＲ受信部１８にて受信する（ステップＳ２３１）。そして、表示制御部１０は、警告信号及び識別情報を受信したか否かを判定する（ステップＳ２３２）。警告信号及び識別情報を受信したと判定した場合（ステップＳ２３２：ＹＥＳ）、表示制御部１０は、受信した識別情報に対応する３Ｄ眼鏡２０２の名称を、識別情報テーブル２１９ａを用いて特定する（ステップＳ２３３）。そして、表示制御部１０は、特定された３Ｄ眼鏡２０２に係る所定情報、即ち該特定された３Ｄ眼鏡２０２の電池２１の残量が所定量未満である旨の警告表示を行うか否かを判定するための所定情報（図１２における「有り」の情報）を識別情報テーブル２１９ａに記憶させ、識別情報テーブル２１９ａが該所定情報を記憶している間、特定された３Ｄ眼鏡２０２の電池２１の残量が所定量未満である旨を表示部１５に表示し（ステップＳ２３４）、処理を終える。
【００７６】
警告信号及び識別情報を受信していないと判定した場合（ステップＳ２３２：ＮＯ）、表示制御部１０は、リモコン３から送信された警告非表示信号をＩＲ受信部１８にて受信したか否かを判定する（ステップＳ２３５）。
【００７７】
警告非表示信号を受信したと判定した場合（ステップＳ２３５：ＹＥＳ）、表示制御部１０は、記憶部２１９が記憶している所定情報を消去することによって、警告を停止させ（ステップＳ２３６）、警告表示に係る処理を終える。警告非表示信号を受信していないと判定した場合（ステップＳ２３５：ＮＯ）、表示制御部１０は、ステップＳ２３１で受信したＩＲ信号に応じた特定の処理、例えばチャンネル変更、ボリューム調整などの処理を実行し（ステップＳ２３７）、警告表示に係る処理を終える。
【００７８】
このように構成された変形例２に係る表示システムによれば、複数ある３Ｄ眼鏡２０２の内、いずれの３Ｄ眼鏡２０２の電池２１の残量が少なくなっているのかを容易に特定することができる。
【００７９】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００８０】
１  表示装置
２  ３Ｄ眼鏡
３  リモコン
１１  映像入力部
１２  チューナ部
１３  ＡＶスイッチ
１４  信号処理部
１５  表示部
１６  スピーカ
１７  同期信号送信部
１８  ＩＲ受信部
１９  記憶部
２０  ３Ｄ眼鏡制御部
２１  電池
２２  電池残量検出部
２３  タイマ
２４  発振回路
２５  同期信号受信部
２６  シャッタ駆動部
２７  右目用シャッタ
２８  左目用シャッタ
２９  ＩＲ送信部
２１０ａ  有線接続端子
２１９ａ  識別情報テーブル
２２０ａ  有線接続端子
２３０  識別情報記憶部
２３１  ３Ｄ眼鏡識別ランプ
【図１】
2011252960.tif 000003
【図２】
2011252960.tif 000004
【図３】
2011252960.tif 000005
【図４】
2011252960.tif 000006
【図５】
2011252960.tif 000007
【図６】
2011252960.tif 000008
【図７】
2011252960.tif 000009
【図８】
2011252960.tif 000010
【図９】
2011252960.tif 000011
【図１０】
2011252960.tif 000012
【図１１】
2011252960.tif 000013
【図１２】
2011252960.tif 000014
【図１３】
2011252960.tif 000015
【図１４】
2011252960.tif 000016